(57)【要約】【課題】施工性、作業性に優れていて取扱いやすく、断熱性及び気密性を有し、且つ、耐久性に優れ、製品コスト並びに作業コストの低廉化を図ることができる断熱・気密型点検口を提供することを課題とする。【解決手段】床、壁又は天井に設けた開口に設置される外枠２内に蓋７を嵌め込んで構成される点検口であって、前記外枠２に枠パネル３が一体化され、また、前記枠パネ３ル内に嵌装される断熱材８が前記蓋７の裏面に固定されていることを特徴とする。このように、予め蓋７と断熱材８を一体化し、また、外枠２１と枠パネル３とを一体化しておくことで、それぞれ一部品として扱うことができるようになるので、現場における施工作業が簡便となり、蓋７と断熱材８の外枠２並びに枠パネル３内への装脱操作が容易となる。【選択図】　　　　図２
2004132032.tif 000002
【特許請求の範囲】
【請求項１】
床、壁又は天井に設けた開口に設置される外枠内に蓋を嵌め込んで構成される点検口であって、前記外枠に枠パネルが一体化され、また、前記枠パネル内に嵌装される断熱材が前記蓋の裏面に固定されていることを特徴とする断熱・気密型点検口。
【請求項２】
前記断熱材を透湿防水性保護シートで被覆した請求項１に記載の断熱・気密型点検口。
【請求項３】
前記枠パネルの外側面、並びに、前記蓋の裏面の前記外枠に形成される段部に当接する部分に、それぞれ気密パッキンを配した請求項１又は２に記載の断熱・気密型点検口。
【発明の詳細な説明】
【０００１】
【発明の属する技術分野】
本発明は断熱・気密型点検口、より詳細には、床下、壁内、天井裏等の点検作業に際し、床下等に入り込むために床等に開口形成される点検口で、断熱・気密性を有する断熱・気密型点検口に関するものである。
【０００２】
【従来の技術】
床下点検口は一般に、床に正方形の開口を設け、その周囲に、通例アルミニウム製の外枠を取り付け、そこに埋め込み式の取っ手を備えた蓋を嵌め入れて構成される。また、この床下点検口に断熱性及び気密性を持たせるために、外枠に枠パネルを設置し、該枠パネル内に断熱材が嵌装されることがある。
【０００３】
この断熱型床下点検口の場合、断熱材は蓋と別体であって、床下点検に際しての開口部外枠内への装脱は、蓋と断熱材をそれぞれ別個に行なわなければならないために手間がかかるだけでなく、断熱材を単独で装脱可能にするために、断熱材に摘持部を設けたり、プラスチックカバーを被装したりしなければならないためにコストが嵩むという問題があり、更に、断熱材は発泡プラスチック製のため、枠パネル内への装脱に際して角が欠損しやすいという問題もある。
【０００４】
【発明が解決しようとする課題】
上述したように、従来の断熱型点検口においては多くの問題があったので、本発明はそのような問題のない、即ち、施工性、作業性に優れていて取扱いやすく、断熱性及び気密性を有し、且つ、耐久性に優れ、製品コスト並びに作業コストの低廉化を図ることができる断熱・気密型点検口を提供することを課題とする。
【０００５】
【課題を解決するための手段】
上記課題を解決するための本発明に係る断熱・気密型点検口は、床、壁又は天井に設けた開口に設置される外枠内に蓋を嵌め込んで構成される点検口であって、前記外枠に枠パネルが一体化され、また、前記枠パネル内に嵌装される断熱材が前記蓋の裏面に固定されていることを特徴とする。
【０００６】
このように、予め蓋と断熱材を一体化し、また、外枠と枠パネルとを一体化しておくことで、それぞれ一部品として扱うことができるようになるので、現場における施工作業が簡便となり、蓋と断熱材の外枠並びに枠パネル内への装脱操作が容易となる。
【０００７】
好ましくは、前記断熱材を透湿防水性保護シートで被覆する。そのようにすることで断熱材が保護され、外枠並びに枠パネル内への装脱に際し、角が当たって欠損することが極力防止されるようになる。
【０００８】
また、好ましくは、前記枠パネルの外側面、並びに、前記蓋の裏面における、前記外枠に形成される段部に当接する部分に、それぞれ気密パッキンを配する。そのようにすることにより、室内・室外間における気密性が確保される。
【０００９】
【発明の実施の形態】
本発明の実施の形態を添付図面に依拠して説明する。図１は、本発明に係る断熱・気密型点検口を床下点検口として構成した場合を示しており、図中１は開口部で、その周縁に沿って外枠２が設置される。
【００１０】
外枠２には予め、合板を四角形に組んだ枠パネル３が取り付けられていて、この枠パネル３が、開口部１を囲むように配置された根太４に固定されることにより、外枠２及び枠パネル３が開口部１に固定される。枠パネル３の固定に際しては、枠パネル３と根太４との間に気密パッキン５が挟み入れられ、以て、枠パネル３と根太４ないし床板６との間の気密性が確保される。
【００１１】
７は蓋で、その裏面に、枠パネル３内に嵌装される断熱材８が固定される。断熱材８は、蓋７の縁がはみ出るように、少し内に寄せて固定される。断熱材８としては、発泡スチロール等の発泡樹脂やグラスウール、ロックウールその他のウール類等が用いられ、好ましくは、その全体が、透湿防水性を有する不織布製保護シート９で被覆される。断熱材８としてウール類を用いる場合は、保護シート９で被覆することにより、ある程度の保型性を持たせることができる。
【００１２】
保護シート９は、断熱材８の外枠２並びに枠パネル３内への装脱に際し、断熱材８の、特に、角部が直接外枠２等に当たることを防止し、以て、外枠２等に擦れて欠損することを回避させる役目を果たす。
【００１３】
蓋７は、パネル１０の上面から側面にかけ、ポリスチレン等の樹脂製カバー１１を被装して構成される。樹脂製カバー１１の上面は僅かに窪ませ、そこに、床面と同じ又は異なるクッションフロアー１２が貼り付けられる。クッションフロアー１２は、予め貼着しておいてもよいし、現場において貼着することとしてもよい。また、蓋７の上面中央部には、従来のものと同様の埋込み式の取っ手が設置される。
【００１４】
蓋７の縁の断熱材８からはみ出た部分が、外枠２の段部１３上に載る。その段部１３上に載ることになる部分の裏面に気密パッキン１４が貼着され、以て、外枠２と蓋７との間の気密性が確保される。図２において１５は、パネル１０の裏面に固定された補強材である。
【００１５】
本発明に係る点検口は、床、壁、天井等に施工可能であるが、その施工に当たっては、開口部１内に、枠パネル３が固定された外枠２を挿入し、枠パネル３を根太４に固定する。次いで、蓋７（断熱材８）を外枠２から枠パネル３内へ嵌め込むが、断熱材８が蓋７に固定されているために、蓋７を嵌め込む動作にて、同時に断熱材８を嵌挿することができる。点検に当って蓋７を外す場合も同様である。
【００１６】
蓋７の嵌め込みに伴ない、断熱材８の作用で室内外の断熱性が確保され、また、気密パッキン５、１４の作用で室内外の気密性が確保される。
【００１７】
【発明の効果】
本発明は上述した通りであって、予め蓋と断熱材とが一体化され、且つ、外枠と枠パネルとが一体化されているために、施工性、作業性がよくて作業コストを低減化でき、設置後十分な断熱性及び気密性が確保され、また、断熱材を保護シートで被覆した場合には、その角部等の欠損が防止されて耐久性が向上する効果がある。
【図面の簡単な説明】
【図１】本発明に係る断熱・気密型点検口の構成例を示す斜視図である。
【図２】本発明に係る断熱・気密型点検口の構成例を示す縦断面図である。
【図３】本発明に係る断熱・気密型点検口の構成例を示す要部縦断面図である。
【符号の説明】
１　　開口部
２　　外枠
３　　枠パネル
４　　根太
５　　気密パッキン
６　　床板
７　　蓋
８　　断熱材
９　　保護シート
１０　　パネル
１１　　樹脂製カバー
１２　　クッションフロアー
１３　　段部
１４　　気密パッキン
１５　　補強材
【図１】
2004132032.tif 000003
【図２】
2004132032.tif 000004
【図３】
2004132032.tif 000005